(57)【要約】【課題】薄型であっても明るくムラの無い照明を行うことができる照明装置、その照明装置を用いたタッチセンサ装置及び電子機器を提供すること。【解決手段】光源２と、光源２からの光を導入して面状に出射する導光板３とを備えた照明装置１であって、導光板３は、光源２からの光が入射される入射面１１ａと、その入射面１１ａに略直交すると共に導入した光を外部へ出射する出射面１２と、出射面１２の反対側に位置してその出射面と略平行とされた対向面１３と、入射面１１ａの反対側に位置して角部を形成する第１の反射面１４ａ及び第２の反射面１４ｂとを有する構成とした。【選択図】図１
2008305761.tif 000002
【特許請求の範囲】
【請求項１】
光源と、
前記光源からの光が入射される入射面と、当該入射面に略直交すると共に導入した光を外部へ出射する出射面と、前記出射面の反対側に位置して当該出射面と略平行な対向面と、前記入射面の反対側に位置して角部を形成する第１の反射面及び第２の反射面を有する導光板と、を備えたこと
を特徴とする照明装置。
【請求項２】
前記第１の反射面は、前記出射面に連続して前記対向面側に傾斜すると共に、前記第２の傾斜面は、前記対向面に連続して前記出射面側に傾斜すること
を特徴とする請求項１記載の照明装置。
【請求項３】
前記第１の反射面及び前記第２の反射面は、それぞれ前記入射面に対して略４５度傾斜すること
を特徴とする請求項２記載の照明装置。
【請求項４】
前記第１の反射面と前記第２の反射面は、前記入射面に直交する平面に対して対称に形成したこと
を特徴とする請求項２記載の照明装置。
【請求項５】
前記入射面は、前記導光板に前記光源が挿入される貫通穴を設けることにより形成したこと
を特徴とする請求項１記載の照明装置。
【請求項６】
前記導光板の前記対向面に、光を拡散させる拡散部を設けたこと
を特徴とする請求項１記載の照明装置。
【請求項７】
被照明部である表示部が設けられた操作パネルと、
前記操作パネルの裏面側に配置されると共に前記表示部を面状に照明する照明装置と、
前記照明装置の前記操作パネルと反対側に配置されるセンサ部と、を備え、
前記照明装置は、
光源と、
前記光源からの光が入射される入射面と、当該入射面に略直交すると共に前記操作パネルの裏面に密着されて導入した光を前記表示部へ出射する出射面と、前記出射面の反対側に位置して当該出射面と略平行であると共に前記センサ部に密着される対向面と、前記入射面の反対側に位置して角部を形成する第１の反射面及び第２の反射面を有する導光板と、を有すること
を特徴とするタッチセンサ装置。
【請求項８】
開口部を設けた外装ケースと、
前記開口部を塞ぐように前記筐体に取り付けられると共に被照明部である表示部が設けられた操作パネルと、前記操作パネルの裏面側に配置されると共に前記表示部を面状に照明する照明装置と、前記照明装置の前記操作パネルと反対側に配置されるセンサ部を有するタッチセンサ装置と、
前記外装ケースの内部に配置されると共に前記タッチセンサ装置と電気的に接続された制御部と、を備え、
前記タッチセンサ装置の前記照明装置は、
光源と、
前記光源からの光が入射される入射面と、当該入射面に略直交すると共に前記操作パネルの裏面に密着されて導入した光を前記表示部へ出射する出射面と、前記出射面の反対側に位置して当該出射面と略平行であると共に前記センサ部に密着される対向面と、前記入射面の反対側に位置して角部を形成する第１の反射面及び第２の反射面を有する導光板と、を有すること
を特徴とする電子機器。
【発明の詳細な説明】
【技術分野】
【０００１】
本発明は、被照明部を面状に照明する照明装置、その照明装置を用いたタッチセンサ装置及び電子機器に関するものである。
【背景技術】
【０００２】
被照明部を面状に照明する照明装置は、液晶表示装置のバックライトや静電容量式タッチセンサ装置の照明等に使用されている。このような照明装置は、液晶表示装置の薄型化を図ったり、タッチセンサ装置の感度を確保したりするために薄型化の要望が強い。
【０００３】
従来のこの種の照明装置としては、例えば、特許文献１に記載されているようなものがある。特許文献１には、液晶表示パネルを背面から照明するバックライト装置に関するものが記載されている。この特許文献１に記載されたバックライト装置は、「平板状の導光本体部の一端に受光面及び反射面を有する受光部が設けられた導光板と、発光面を前記受光面に向けて回路基板上に実装した発光素子とを備えた液晶表示パネルのバックライト装置において、前記受光部が前記導光本体部より肉厚状に形成され、該受光部の反射面を導光本体部から所定の角度で発光素子側に傾斜させると共に、受光部の下部を導光本体部より下げ、受光面を前記発光素子側に近づけた」ことを特徴としている。
【０００４】
このような構成を有するバックライト装置によれば、「受光部が導光本体部より厚みのある肉厚状に形成されているので、この受光部に設けられる反射面を所定角度に傾斜させて広く形成することができる」（明細書の段落［００２６］）等の効果が期待される。
【特許文献１】特開２００４−１１９０３１号公報
【０００５】
しかしながら、特許文献１に記載されたバックライト装置では、受光部が導光本体部より厚みのある肉厚状に形成されているため、バックライト装置全体の薄型化を図ることが困難であった。また、このバックライト装置をタッチセンサ装置に適用すると、タッチセンサ装置の大型化を招くという問題があった。
【０００６】
図１１は、従来の薄型の照明装置の一例である照明装置１０１を説明する斜視図である。図１１に示すように、照明装置１０１は、光源１０２と、この光源１０２からの光を導入して面状に出射する導光板１０３を備えて構成されている。
【０００７】
照明装置１０１の導光板１０３は、全体の形状が略くさび状に形成されており、肉厚に形成された一側の端面が光源１０２からの光が入射される入射面１０５とされている。そして、入射面１０５と略直交する２つの平面のうち一方の平面が出射面１０６とされ、他方の平面が反射面１０７とされている。導光板１０３の反射面１０７には、凹凸１０７ａが設けられており、この凹凸１０７ａによって反射面１０７に到達する光を出射面１０６側に乱反射させている。
【０００８】
図１２は、従来の薄型の照明装置のその他の例である照明装置１１１を説明する斜視図である。図１２に示すように、照明装置１１１は、図１１に示す照明装置１０１と同様に、光源１０２と、この光源１０２からの光を導入して面状に出射する導光板１１３を備えて構成されている。
【０００９】
照明装置１１１の導光板１１３は、照明装置１０１の導光板１０３と同様に、全体の形状が略くさび状に形成されており、肉厚に形成された一側の端面が光源１０２からの光が入射される入射面１１５とされている。そして、入射面１１５と略直交する２つの平面のうち一方の平面が出射面１１６とされ、他方の平面が反射面１１７とされている。導光板１１３の反射面１１７には、複数の白色ドット１１８が印刷されており、この白色ドット１１８によって反射面１１７に到達する光を出射面１１６へ拡散反射させている。
【発明の開示】
【発明が解決しようとする課題】
【００１０】
しかしながら、図１１に示す照明装置１０１及び図１２に示す照明装置１１１のいずれの場合においても、導光板１０１（１１１）の出射面１０６（１１６）と反射面１０７（１１７）との離間距離が短いため、光源１０２から離れるほど到達する光が少なくなり、光源１０２の付近のみ輝度が高くなって、出射される光にムラが生じるという問題点がある。
【００１１】
更に、照明装置１０１や照明装置１１１を静電容量式タッチセンサ装置に適用させる場合には、タッチセンサ装置の操作パネルとセンサ部との間に導光板１０３（１１３）を介在させる。この際、導光板１０３（１１３）の出射面１０６（１１６）を操作パネルに密着させると共に、反射面１０７（１１７）をセンサ部に密着させる必要がある。ところが、導光板１０３（１１３）は、全体の形状がくさび状に形成されているため、出射面１０６（１１６）と反射面１０７（１１７）の両方をそれぞれ操作パネルとセンサ部に密着させることが難しいという問題があった。
【００１２】
また、照明装置１０１においては、導光板１０３の反射面１０７に凹凸１０７ａが設けられているため、反射面１０７とセンサ部との間に隙間が生じて密着性が弱くなり、センサの動作不良を引き起こすという問題もあった。
【００１３】
本発明の目的は、上述の問題点を考慮し、薄型であっても明るくムラの無い照明を行うことができる照明装置、その照明装置を用いたタッチセンサ装置及び電子機器を提供することある。
【課題を解決するための手段】
【００１４】
本発明の照明装置は、光源と、導光板を備えている。この照明装置は、導光板が、光源からの光が入射される入射面と、その入射面に略直交すると共に導入した光を外部へ出射する出射面と、出射面の反対側に位置してその出射面と略平行な対向面と、入射面の反対側に位置して角部を形成する２つの反射面を有することを最も主要な特徴とする。
【００１５】
本発明のタッチセンサ装置は、被照明部である表示部が設けられた操作パネルと、操作パネルの裏面側に配置されると共に表示部を面状に照明する照明装置と、照明装置の操作パネルと反対側に配置されるセンサ部と、を備えて構成されている。このタッチパネル装置の照明装置は、光源と、光源からの光が入射される入射面と、その入射面に略直交すると共に操作パネルの裏面に密着されて導入した光を表示部へ出射する出射面と、出射面の反対側に位置してその出射面と略平行であると共にセンサ部に密着される対向面と、入射面の反対側に位置して角部を形成する第１の反射面及び第２の反射面を有する導光板と、を有することを特徴とする。
【００１６】
また、本発明の電子機器は、開口部を設けた外装ケースと、タッチセンサ装置と、制御部と、を備えて構成されている。タッチセンサ装置は、開口部を塞ぐように筐体に取り付けられると共に被照明部である表示部が設けられた操作パネルと、操作パネルの裏面側に配置されると共に表示部を面状に照明する照明装置と、照明装置の操作パネルと反対側に配置されるセンサ部を有している。制御部は、外装ケースの内部に配置されると共にタッチセンサ装置と電気的に接続されている。そして、タッチセンサ装置の照明装置は、光源と、光源からの光が入射される入射面と、その入射面に略直交すると共に操作パネルの裏面に密着されて導入した光を表示部へ出射する出射面と、出射面の反対側に位置してその出射面と略平行であると共にセンサ部に密着される対向面と、入射面の反対側に位置して角部を形成する第１の反射面及び第２の反射面を有する導光板と、を有することを特徴とする。
【発明の効果】
【００１７】
本発明の照明装置、タッチセンサ装置及び電子機器によれば、入射面の反対側に位置する端部に向かって進行する光を、第１の反射面と第２の反射面によって出射面側及び対向面側に反射させることができる。これにより、入射面の反対側に位置する端部に向かって進行する光を、出射面から出射する照明光として用いることができ、明るくムラの無い照明を行うことができる。
【発明を実施するための最良の形態】
【００１８】
以下、本発明の照明装置、タッチセンサ装置及び電子機器を実施するための最良の形態について、図面を参照して説明するが、本発明は以下の形態に限定されるものではない。
【００１９】
図１〜図５は、本発明の照明装置の第１の実施の形態を示すものであり、図１は正面側から見た斜視図、図２は平面図、図３は側面図、図４は図２に示すＸ−Ｘ線部分の断面図、図５は導光板に入射された光の進行を説明する説明図である。
【００２０】
図１〜図５に示すように、本発明の照明装置の第１の実施の形態を示す照明装置１は、光源２と、この光源２によって発生された光を導入して面状に出射する導光板３等を備えて構成されている。照明装置１の光源２は、ＬＥＤ（Light Emitting Diode）素子をパッケージに納めて構成された、いわゆるチップタイプＬＥＤである。
【００２１】
照明装置１の導光板３は、透明なアクリル樹脂によって形成され、略長方形の板体をなしている。この導光板３には、光源２が配置される貫通穴１１が設けられている。この貫通穴１１は、四角形に形成されており、その４つの辺が導光板３の４つの辺に対してそれぞれ平行に延在されている。
【００２２】
貫通穴１１によって形成される４つの面のうち導光板３の長手方向に直交する一面は、光源２よって発生された光が入射される入射面１１ａとなっている。この入射面１１ａから入射した光は、導光板３の内部で導光される。なお、本実施の形態では、導光板３に貫通穴１１を設けることにより入射面１１ａを形成する構成としたが、本発明に係る入射面としては、導光板の一端面とすることもできる。この場合、光源は、導光板の外側に配置される。
【００２３】
導光板３の上面は、入射面１１ａに直交する平面となっている。この導光板３の上面において、入射面１１ａに連続する側の領域（図１等において、貫通穴１１よりも前側の領域）は、導光した光を外部へ出射する出射面１２とされている。また、導光板３の下面は、入射面１１ａに直交して上面と略平行な平面となっている。この導光板３の下面において、出射面１２に対応する領域は、対向面１３とされている。
【００２４】
導光板３の対向面１３には、細長の長方形をなす拡散部１６が設けられている。この拡散部１６は、酸化チタニウムの微粒子が含有された白色塗料を対向面１３に塗装或いは印刷することにより形成されている。導光板３の入射面１１ａから入射した光の一部は、対向面１３の拡散部１６に向かって進行し、拡散部１６により出射面１２側に拡散されて出射面１２から外部へ出射される。そのため、出射面１２の拡散部１６に対応する部位から集中して光が出射され、その光が被照明部を照明する照明光となる。
【００２５】
本実施の形態では、拡散部１６の形状を、細長の長方形に設定したが、本発明に係る拡散部の形状としては、これに限定されるものではない。本発明に係る拡散部の形状としては、例えば、対向面１３を大きく占有するような長方形に設定して出射面１２全体から均一に光を出射させてもよく、また、被照明部の大きさや形状等に対応した各種の形状に設定してもよい。
【００２６】
更に、導光板３の下面には、この導光板３を後述する回路基板６３に対して位置決めするための一対の位置決め突部１７ａ，１７ｂが設けられている。これら位置決め突部１７ａ，１７ｂは、導光板３の下面に連続して略垂直に突出されており、回路基板６３に設けられた位置決め孔６７ａ，６７ｂに嵌合される。
【００２７】
また、導光板３の入射面１１ａと反対側の端部には、互いに連続して角部を形成する第１の反射面１４ａと、第２の反射面１４ｂが設けられている。第１の反射面１４ａは、出射面１２に連続して下側に傾斜されており、第２の反射面１４ｂは、対向面１３に連続して上側に傾斜されている。これら第１の反射面１４ａ及び第２の反射面１４ｂの傾斜角度は、入射面１１ａに対してそれぞれ略４５度に設定されている。これにより、第１の反射面１４ａと第２の反射面１４ｂは、入射面１１ａに直交する平面に対して対称となっている。
【００２８】
次に、導光板３の内部を進行して出射面１２から出射される光について、図５を参照して説明する。導光板３の内部を進行する光は、図５に示すように、光Ｌａ、光Ｌｂ、光Ｌｃ及び光Ｌｄの４つに分類される。
【００２９】
光Ｌａは、導光板３の出射面１２に向かって進行する光である。この出射面１２に向かって進行する光の一部は、出射面１２から出射される。なお、この光Ｌａには、図５に示すように、入射面１１ａから入射して直接出射面１２に向かって進行するものの他に、対向面１３によって反射され、その後、出射面１２に向かって進行するものもある。
【００３０】
光Ｌｂは、導光板３の対向面１３に設けた拡散部１６に向かって進行し、拡散部１６によって拡散されて出射面１６から出射される光である。この光Ｌｂにおいても、入射面１１ａから入射して直接拡散部１６に向かって進行するものの他に、出射面１２によって反射され、その後、拡散部１６に向かって進行するものもある。
【００３１】
光Ｌｃは、直接、入射面１１ａの反対側に位置する端部に向かって進行し、第１の反射面１４ａ及び第２の反射面１４ｂにより反射されて出射面１２に向かって進行する光である。また、光Ｌｄは、光Ｌｃと同様に、直接、入射面１１ａの反対側に位置する端部に向かって進行し、第１の反射面１４ａ及び第２の反射面１４ｂにより反射されて対向面１３に向かって進行する光である。
【００３２】
ここで、第１の反射面１４ａ及び第２の反射面１４ｂによって反射される光Ｌｃ及び光Ｌｄについて説明する。まず、光Ｌｃについて説明する。第１の反射面１４ａは、入射面１１ａに対する傾斜角度が略４５度に設定されている。そのため、第１の反射面１４ａに向かって進行する光Ｌｃ１と第１の反射面１４ａに垂直に交わる垂線Ｈ１との角度θ１、いわゆる光Ｌｃ１の入射角θ１が、略４５度（入射角θ１＝略４５度）となる。
【００３３】
一方、導光板３を形成するアクリル樹脂の屈折率ｎはｎ＝１．４９程度であるので、臨界角αは略４２度になる（臨界角α＝略４２度）。これにより、光Ｌｃ１の第１の反射面１４ａに対する入射角θ１は、アクリル樹脂によって形成された導光板３の臨界角αよりも大きくなる（入射角θ１＞臨界角α）。その結果、光Ｌｃ１は、第１の反射面１４ａによって全反射され、光Ｌｃ２として第２の反射面１４ｂに向かって進行する。
【００３４】
第２の反射面１４ｂは、入射面１１ａに対する傾斜角度が略４５度に設定されており、第１の反射面１４ａと対称となっている。そのため、光Ｌｃ２と第２の反射面１４ｂに垂直に交わる垂線Ｈ２との角度θ２、いわゆる光Ｌｃ２の入射角θ２が、略４５度（入射角θ２＝略４５度）となる。上述したように、導光板３の臨界角αが略４２度であるため、光Ｌｃ２の入射角θ２は、導光板３の臨界角αよりも大きくなる（入射角θ２＞臨界角α）。これにより、光Ｌｃ２は、第２の反射面１４ｂによって全反射され、光Ｌｃ３として出射面１２に向かって進行する。
【００３５】
次に、光Ｌｄについて説明する。図５に示すように、光Ｌｄは、第１の反射面１４ａに向かって進行する光Ｌｄ１の入射角が、光Ｌｃ１の入射角θ１よりも小さく導光板３の臨界角αよりも大きい値となる光である（光Ｌｃ１の入射角θ１＞光Ｌｄ１の入射角＞臨界角α）。これにより、光Ｌｄ１は、第１の反射面１４ａによって全反射され、光Ｌｄ２として第２の反射面１４ｂに向かって進行する。
【００３６】
第１の反射面１４ａによって反射された光Ｌｄ２の第２の反射面１４ｂに対する入射角は、導光板３の臨界角αよりも大きく（光Ｌｄ２の入射角＞臨界角α）なる。これにより、光Ｌｄ２は、第２の反射面１４ｂによって全反射され、光Ｌｄ３として対向面１３の拡散部１６に向かって進行する。
【００３７】
また、入射面１１ａの反対側に位置する端部に向かって進行する光Ｌｃ及び光Ｌｄとしては、入射面１１ａから第２の反射面１４ｂに向かって進行するものもある（不図示）。この入射面１１ａから第２の反射面１４ｂに向かって進行する光Ｌｃ及び光Ｌｄは、まず、第２の反射面１４ｂによって全反射され、その後、第１の反射面１４ａによって全反射されることにより、出射面１２及び対向面１３に向かってそれぞれ進行する。
【００３８】
図５に示す光Ｌｂと光Ｌｄは、拡散部１６によって拡散され、入射面１２から出射される。一方、図５に示す光Ｌａ及び光Ｌｃは、出射面１２に対する入射角が導光板３の臨界角αよりも大きくなるため、全反射されて出射面１２から出射されない。図示しないが、出射面１２に進行する光である光Ｌａ及び光Ｌｃの中には、出射面１２に対する入射角が導光板３の臨界角αよりも小さいものもあり、それらの光は、出射面１２から出射される。
【００３９】
なお、図５に示すような出射面１２に対する入射角が臨界角αよりも大きい光Ｌａ，Ｌｃは、出射面１２に透明な光拡散性の印刷または塗装を施すことにより、出射面１２から出射させることができる。また、出射面１２に対してすりガラス状のマット加工等の半透明の光拡散処理（光を透過させつつ拡散させる処理）を施すことで、光Ｌａ，Ｌｃを出射面１２から出射させるようにしてもよい。
【００４０】
導光板３によって導光される光Ｌａ〜Ｌｄのうち、光Ｌａと光Ｌｂは、図１２に示す従来の導光板１１１によって導光される光と同様の光である。一方、光Ｌｃと光Ｌｄは、従来の導光に加えて新規に導光される光である。これら光Ｌｃ及び光Ｌｄにより、導光板３は、従来の導光板１１１よりも多くの光を出射面１２から出射することができる。
【００４１】
このような構成を有する照明装置１によれば、導光板３の入射面１１ａから入射し、入射面１１ａの反対側の端部に向かって進行する光Ｌｃ，Ｌｄを、第１の反射面１４ａと第２の反射面１４ｂによって全反射させて出射面１２から出射される光として用いることができる。これにより、出射面１２から出射される光を増加させて照明の輝度をアップさせることができ、薄型であっても明るくムラの無い照明を行うことができる。
【００４２】
また、対向面１３を出射面１２と略平行にしたため、照明装置１をタッチセンサ装置の照明として適用した際に、対向面１３とタッチセンサ装置のセンサ部とを簡単な構成で確実に密着させることができる。その結果、自照式でありながら安定したタッチセンサ動作が可能なタッチセンサ装置の実現に貢献することができる。
【００４３】
本実施の形態では、光源としてチップタイプＬＥＤを適用したが、本発明に係る光源としては、レンズタイプＬＥＤを適用することができることは勿論、蛍光灯やその他の光源を適用することもできる。
【００４４】
また、本実施の形態では、第１の反射面１４ａ及び第２の反射面１４ｂの傾斜角度を、入射面１１ａに対してそれぞれ略４５度に設定したが、本発明に係る第１及び第２の反射面の傾斜角度としては、これに限定されるものではない。本発明に係る第１及び第２の反射面の傾斜角度としては、アクリル樹脂の臨界角（略４２度）を考慮して、第１及び第２の反射面に向かって進行する光が全反射して出射面から効率よく出射されるように適宜設定することができる。その際、第１の反射面と第２の反射面との入射面１１ａに対する傾斜角度を異ならせてもよい。
【００４５】
更に、本実施の形態では、導光板３を透明なアクリル樹脂によって形成したが、本発明に係る導光板としては、ポリカーネート（ＰＣ）、ポリスチレン（ＰＳ）、アクリロニトリル・ブタジエン・スチレン樹脂（ＡＢＳ）等の透明な合成樹脂を用いることができることは勿論、透明なガラスを用いることもできる。このような構成樹脂及びガラスを適用する場合には、適用する部材の臨界角を考慮して第１の反射面及び第２の反射面の傾斜角度を適宜設定する。
【００４６】
また、本実施の形態では、第１の反射面１４ａと第２の反射面１４ｂによって入射面１１ａの反対側に位置する端部に１つの角部を形成する構成としたが、第１の反射面と第２の反射面の組を複数設けて、入射面１１ａの反対側に位置する端部に複数の角部を形成してもよい。
【００４７】
図６〜図１０は、本発明の照明装置を適用したタッチセンサ装置、及びそのタッチセンサ装置を備えた電子機器を示すものであり、図６は電子機器の一例を示すディスク再生装置を斜め上面側から見た外観斜視図、図７は同じく斜め底面側から見た外観斜視図、図８は分解斜視図、図９は図６に示すＹ−Ｙ線部分の断面図、図１０はタッチセンサ装置を説明する説明図である。
【００４８】
図６等に示すディスク再生装置３１は、ディスク状情報記録媒体であるＤＶＤ（Digital Versatile Disc）を再生する、いわゆるＤＶＤプレーヤである。このディスク再生装置３１と、図には表れないアンプ装置、スピーカ装置及び表示装置等によりホームシアターシステムが構成される。ホームシアターシステムは、室内を暗くして使用する場合が多いため、ディスク再生装置３１には、暗い室内でも容易に操作できるように自照式の操作部が設けられている。
【００４９】
図６〜図８に示すように、ディスク再生装置３１は、外装ケース３２と、この外装ケース３２の上部に配置されると共に自照式の操作部となるタッチセンサ装置３３と、外装ケース３２の内部に配置された図には表れないディスクドライブ装置と、そのディスクドライブ装置を制御する制御部等を備えて構成されている。
【００５０】
ディスクドライブ装置は、ＤＶＤ（Digital Versatile Disc）（以下「光ディスク」という。）が装着されるターンテーブルを有し、光ディスクを回転させるスピンドルモータと、このスピンドルモータにより回転された光ディスクの情報記録面に記録されている情報信号を読み出す光ピックアップ等によって構成されている。ディスクドライブ装置を制御する制御部は、例えば、所定の電気回路が印刷成形等により形成された配線基板と、この配線基板上の所定の位置に実装されたマイクロコンピュータ、抵抗やコンデンサその他の電子部品等によって構成される。
【００５１】
ディスク再生装置３１の外装ケース３２は、上部が開口された四角形の筐体からなるケース本体３５と、このケース本体３５の開口部を塞ぐ上面板３６を有している。外装ケース３２のケース本体３５は、ディスク再生装置３１の前面を形成する前面板３５ａと、この前面板３５ａと対向して背面を形成する背面板３５ｂと、左右の側面を形成する左側面板３５ｃ及び右側面板３５ｄと、底面を形成する底面板３５ｅからなっている。
【００５２】
ケース本体３５の前面板３５ａ、背面板３５ｂ及び左右の側面板３５ｃ，３５ｄには、周方向に連続する溝部３８が形成されている。そして、前面板３５ａの溝部３８には、ディスクが出し入れされるディスク出入口３９が設けられている。このディスク出入口３９からディスクを挿入すると、ディスクが図には表れない搬送機構によって搬送され、ディスクドライブ装置のターンテーブルに装着されるようになっている。なお、図示しないが、ケース本体３５の前面板３５ａには、電源をオン・オフさせる電源ボタンや、ディスク出入口４２からディスクを排出させるイジェクトボタン等が設けられている。
【００５３】
図７に示すように、ケース本体３５の底面板３５ｅには、一対の通気口４３ａ，４３ｂが設けられている。一対の通気口４３ａ，４３ｂは、それぞれ左右の側面板３５ｃ，３５ｄに連続する端部に配置されている。これら一対の通気口４３ａ，４３ｂにより、外部の空気が外装ケース３２内に吸気されると共に、ディスクドライブ装置や制御部によって温められた空気が排気される。
【００５４】
また、底面板３５ｅの四隅には、それぞれ略垂直に突出する脚部４４が設けられている。底面板３５ｅの４つの脚部４４には、それぞれゴムカバー４５が嵌合されて取り付けられており、このゴムカバー４５がディスク再生装置３１を載置する載置面に当接される。このゴムカバー４５は、ディスク再生装置３１の滑り止めの役割と、載置面に傷が付くのを防止するクッション材としての役割を有している。
【００５５】
図８に示すように、ケース本体３５には、外装ケース３２の内部空間を上下に仕切る仕切り板４７が接着剤や固定ねじ等の固着方法によって取り付けられている。この仕切り板４７とケース本体３５の底面板３５ｅとの間に形成される下側空間部には、図に表れないディスクドライブ装置及び制御部等が配置されている。また、仕切り板４７と上面板３６との間に形成される上側空間部には、タッチセンサ装置３３の後述するタッチセンサ電極６２等を実装する回路基板６３が配置されている。
【００５６】
仕切り板４７の上面には、回路基板６３との干渉を避けるための基板用凹部４８が設けられており、この基板用凹部４８に２つの貫通穴４９ａ，４９ｂが形成されている。これら２つの貫通穴４９ａ，４９ｂには、図に表れないフレキシブル配線板が貫通され、そのフレキシブル配線板を介して上側空間部に位置する回路基板６３と下側空間部に位置する制御部が電気的に接続されている。
【００５７】
外装ケース３２の上面板３６は、略四角形に形成されており、その大きさはケース本体３５の開口部を塞ぐ大きさに設定されている。この上面板３６において、仕切り板４７の基板用凹部４８に対応する位置には、第１の開口部５１と第２の開口部５２が設けられている。第１の開口部５１は、略四角形に形成されており、第２の開口部５２は、第１の開口部５１よりも大きな略長方形に形成されている。
【００５８】
上面板３６の第１の開口部５１には、タッチセンサ装置３３の一部を構成する第１の照明装置１が配置され、第２の開口部５２には、タッチセンサ装置３３の一部を構成する第２の照明装置１Ａが配置される。また、上面板３６の第１の開口部５１と第２の開口部５２との間には、遮光用リブ５３が設けられており、２つの照明装置１，１Ａの光が互いに干渉しないようになっている。
【００５９】
タッチセンサ装置３３は、上面板３６の２つの開口部５１，５２を塞ぐ操作パネル６１と、上面板３６の第１の開口部５１内に配置される第１の照明装置1と、上面板３６の第２の開口部５２内に配置される第２の照明装置１Ａと、これら２つの照明装置１，１Ａの操作パネル６１と反対側に配置されるセンサ部６２と、２つの照明装置１，１Ａ及びセンサ部６２を搭載する回路基板６３等を備えて構成されている。
【００６０】
タッチセンサ装置３３の操作パネル６１は、透明なアクリル樹脂によって形成されており、上面板３６に見合った大きさに設定された略四角形の平板状をなしている。この操作パネル６１は、接着材等の固着手段によって上面板３６に固定されており、外装ケース３２の上面板３６を覆うと共にディスク再生装置３１の天面を形成するようになっている。この操作パネル６１において、上面板３６の２つの開口部５１，５２に対応する位置には、被照明部である表示部６５が設けられている。
【００６１】
操作パネル６１の表示部６５は、記号及び文字で表されており、図８において、左から順に再生マーク６５ａと、停止マーク６５ｂと、文字（ＦＵＮＣＴＩＯＮ）６５ｃと、マイナスマーク６５ｄと、プラスマーク６５ｅからなっている。このような表示部６５は、透明な合成樹脂そのままの領域であり、それ以外の領域に有色（例えば、黒色）の印刷を施すことにより形成されている。
【００６２】
なお、印刷面は、操作パネル６１の上面板３６と対向する裏面とすることが好ましいが、ディスク再生装置３１の天面を形成する表面に施してもよい。また、本発明に係る表示部としては、透明な領域として形成することに限定されるものではなく、例えば、表示部以外の領域に施した印刷の色と異なる色の印刷を施すことで形成してもよい。その場合、表示部を形成する印刷には、光が透過可能な塗料を用いる。
【００６３】
また、本実施の形態では、透明なアクリル樹脂によって操作パネルを形成する構成としたが、本発明に係る操作パネルの材質としては、これに限定されるものではない。本発明に係る操作パネルの材質としては、例えば、ポリカーボネート等その他の透明な合成樹脂を適用することができることは勿論、光が透過可能な色に着色された合成樹脂を用いてもよい。
【００６４】
タッチセンサ装置３３の回路基板６３は、操作パネル６１の表示部６５に見合った大きさの長方形に形成されている。この回路基板６３は、接着剤や固定ねじ等の固着方法によって上面板３６に取り付けられる。回路基板６３の上面には、２つの照明装置１，１Ａとセンサ部６２が実装され、下面には、抵抗やコンデンサその他の電子部品等が実装されている。
【００６５】
また、回路基板６３には、第１の位置決め孔６７ａ，６７ｂと、第２の位置決め孔６８ａ，６８ｂが設けられている。第１の位置決め孔６７ａ，６７ｂには、第１の照明装置１の導光板３に設けた位置決め突部１７ａ，１７ｂがそれぞれ嵌合される。そして、第２の位置決め孔６８ａ，６８ｂには、第２の照明装置１Ａの後述する導光板３Ａに設けられた図に表れない２つの位置決め突部が嵌合される。
【００６６】
第１の照明装置1は、操作パネル６１の再生マーク６５ａを照明する。この第１の照明装置１は、上述したように、光源２と、この光源２によって発生された光を導入して面状に出射する導光板３等を備えて構成されている。図９に示すように、導光板３の出射面１２は、ディスク再生装置３１の組み立てた状態において、操作パネル６１の裏面に密着される。この出射面１２が密着される位置は、操作パネル６１の再生マーク６５ａに対応する位置となっている。
【００６７】
第２の照明装置１Ａは、表示部６５の停止マーク６５ｂと文字（ＦＵＮＣＴＩＯＮ）６５ｃとマイナスマーク６５ｄ及びプラスマーク６５ｅを照明する。この第２の照明装置１Ａは、第１の照明装置１と同様の構成を有しており、４つの光源２Ａ１〜２Ａ４と、これら４つの光源２Ａ１〜２Ａ４によって発生されたそれぞれの光を導入して面状に出射する導光板３Ａ等を備えて構成されている。
【００６８】
第２の照明装置１Ａの導光板３Ａは、第１の照明装置１の導光板３よりも横長に形成されている。この導光板３Ａは、第１の照明装置１の導光板３と同様に、入射面と出射面と対向面と第１の反射面と第２の反射面を有している。また、導光板３Ａの対向面には、拡散部１６Ａが設けられている。更に、導光板３Ａの下面には、回路基板６３の位置決め孔６８ａ，６８ｂに嵌合される図には表れない２つの位置決め突部が設けられている。
【００６９】
第２の照明装置１Ａの４つ光源２Ａ１〜２Ａ４は、回路基板６３上において、それぞれ停止マーク６５ｂ、文字（ＦＵＮＣＴＩＯＮ）６５ｃ、マイナスマーク６５ｄ、プラスマーク６５ｅに対応する位置に配置されている。これにより、光源２Ａ１によって発生される光は、主に停止マーク６５ｂを照明する光として導光板３Ａの出射面から出射され、光源２Ａ２によって発生される光は、主に文字（ＦＵＮＣＴＩＯＮ）６５ｃを照明する光として導光板３Ａの出射面から出射される。同様に、光源２Ａ３によって発生される光は、主にマイナスマーク６５ｄを照明する光として導光板３Ａの出射面から出射され、光源２Ａ４によって発生される光は、主にプラスマーク６５ｅを照明する光として導光板３Ａの出射面から出射される。
【００７０】
第２の照明装置１Ａの一部を構成する導光板３Ａの出射面は、ディスク再生装置３１を組み立てた状態において、操作パネル６１の裏面に密着される。そして、導光板３Ａの出射面が密着される位置は、操作パネル６１の停止マーク６５ｂと文字（ＦＵＮＣＴＩＯＮ）６５ｃとマイナスマーク６５ｄ及びプラスマーク６５ｅに対応する位置となっている。
【００７１】
タッチセンサ装置３３のセンサ部６２は、静電容量の変化を検出する電極として構成されている。このセンサ部６２は、操作パネル６１に設けた再生マーク６５ａに対応する第１のタッチセンサ電極６２ａと、停止マーク６５ｂに対応する第２のタッチセンサ電極６２ｂと、文字（ＦＵＮＣＴＩＯＮ）６５ｃに対応する第３のタッチセンサ電極６２ｃと、マイナスマーク６５ｄに対応する第４のタッチセンサ電極６２ｄと、プラスマーク６５ｅに対応する第５のタッチセンサ電極６２ｅからなっている。
【００７２】
第１のタッチセンサ電極６２ａは、第１の照明装置１の導光板３を回路基板６３に実装した状態において、導光板３の対向面１３に密着される。また、第２〜第４のタッチセンサ電極６２ｂ〜６２ｅは、第２の照明装置１Ａの導光板３Ａを回路基板６３に実装した状態において、導光板３Ａの対向面に密着される。即ち、ディスク再生装置３１を組み立てた状態において、操作パネル６１と、２つの導光板３，３Ａと、センサ部６２は、積層されて密着した状態となっている。
【００７３】
タッチセンサ装置３３において、操作パネル６１の再生マーク６５ａと、第１の照明装置１と、第１のタッチセンサ電極６２ａにより、ディスクに記録された情報を再生させる自照式の再生スイッチが構成されている。
【００７４】
図１０は、タッチセンサ装置３３の再生スイッチを示す説明図である。図１０に示すように、再生スイッチが構成された状態において、操作パネル６１の表面の第１のタッチセンサ電極６２ａに対向する領域が、再生スイッチの操作領域Ｔとなり、この操作領域Ｔの略中央部に再生マーク６５ａが位置している。更に、再生マーク６５ａは、照明装置１の導光板３に設けた拡散部１６対向され、照明装置１の照明光が効率よく照射されるようになっている。
【００７５】
また、タッチセンサ装置３３において、操作パネル６１の停止マーク６５ｂと、第２の照明装置１Ａと、第２のタッチセンサ電極６２ｂにより、ディスクに記録された情報の再生を停止させる自照式の停止スイッチが構成されている。この停止スイッチにおいても、停止マーク６５ｂが、停止スイッチの操作領域の略中央部に位置すると共に、導光板３Ａの拡散部１６Ａに対向される。
【００７６】
同様に、操作パネル６１の文字（ＦＵＮＣＴＩＯＮ）６５ｃと、第２の照明装置１Ａと、第３のタッチセンサ電極６２ｃにより、ディスク再生装置３１の各種機能をホームシアターシステムの表示装置に表示させる自照式のメニュースイッチが構成されている。このメニュースイッチにおいても、停文字（ＦＵＮＣＴＩＯＮ）６５ｃが、メニュースイッチの操作領域の略中央部に位置すると共に、導光板３Ａの拡散部１６Ａに対向される。
【００７７】
更に、操作パネル６１のマイナスマーク６５ｄと、第２の照明装置１Ａと、第４のタッチセンサ電極６２ｄにより、自照式の第１の操作スイッチが構成されている。この第１の操作スイッチにおいても、マイナスマーク６５ｄが、第１の操作スイッチの操作領域の略中央部に位置すると共に、導光板３Ａの拡散部１６Ａに対向される。
【００７８】
そして、操作パネル６１のプラスマーク６５ｅと、第２の照明装置１Ａと、第５のタッチセンサ電極６２ｅにより、自照式の第２の操作スイッチが構成されている。この第２の操作スイッチにおいても、プラスマーク６５ｅが、第２の操作スイッチの操作領域の略中央部に位置すると共に、導光板３Ａの拡散部１６Ａに対向される。第１及び第２の操作スイッチは、表示装置に表示されたディスク再生装置３１の各種機能から所望の機能を選択する際に使用する。
【００７９】
このような構成を有するディスク再生装置３１のタッチセンサ装置３３は、例えば、次のようにしてセンサ動作（スイッチ動作）が実行される。ここでは、図１０に示すタッチセンサ装置３３の再生スイッチを例に挙げて、タッチセンサ装置３３センサ動作を説明する。
【００８０】
まず、ディスク再生装置３１の制御部から信号が出力され、フレキシブル配線板を介して回路基板６３に供給される。そして、回路基板６３が、制御部から供給された信号に基づいて照明装置１の光源２を発光させる。これにより、光源２によって発生された光が導光板３の入射面１１ａから入射される。
【００８１】
入射面１１ａから入射した光は、上述したように、出射面１２に向かって進行する光Ｌａと、対向面１３の拡散部１６に向かって進行する光Ｌｂと、第１の反射面１４ａ及び第２の反射面１４ｂによって反射される光Ｌｃ，Ｌｄとして導光板３の内部を進行する。そして、光Ｌａ〜Ｌｄが、それぞれ出射面１２から出射することにより、操作パネル６１の再生マーク６５ａが照明される。この際、再生マーク６５ａに対する照明を点滅させることで、使用者に対して再生スイッチの操作を促すようにしてもよい。
【００８２】
次に、使用者が、再生マーク６５ａを含む操作領域Ｔに指を接触（或いは接近）させると、第１のタッチセンサ電極６２ａによって静電容量の変化が検出され、回路基板６３から操作信号が出力される。この操作信号は、フレキシブル配線板を介して制御部に供給され、これにより、制御部がディスクドライブ装置を制御してディスクに記録された情報を再生させる。
【００８３】
本実施の形態では、停止マーク６５ｂ等の複数の被照明部を第２の照明装置１Ａによって照明する構成としたが、これら停止マーク６５ｂ等の複数の被照明部に対してそれぞれ照明装置を設ける構成とすることもできる。この場合、被照明部を個別に点滅させることにより、それぞれの操作部（スイッチ）において操作を促すことができ、操作部の操作に対してより多くのサポートを行うことができる。また、それぞれの被照明部において照明光の色を変えることにより、複数の操作部（スイッチ）を簡単に識別することができ、操作ミスを減少させることができる。
【００８４】
以上説明したように、本発明の照明装置、タッチパネル装置及び電子機器によれば、入射面から直接入射面の反対側に向かって進行する光を、第１の反射面及び第２の反射面によって出射面側及び対向面側に反射させることができる。これにより、直接入射面の反対側に向かって進行する光を、入射面の反対側に位置する端部から外部に逃がさずに出射面から出射する照明光として用いることができ、照明光の輝度を増加させて明るくムラの無い照明を行うことができる。
【００８５】
また、導光板の出射面と対向面とを略平行にしたため、簡単且つ確実に導光板の対向面とセンサ部を密着させることができると共に、導光板の出射面と操作パネルを密着させることができる。その結果、タッチセンサの感度を確保しながら、被照明部を照明することができる自照式のタッチセンサ装置を簡単な構成で実現することができる。
【００８６】
本発明は前述しかつ図面に示した実施の形態に限定されるものではなく、その要旨を逸脱しない範囲内で種々の変形実施が可能である。例えば、前記実施の形態においては、電子機器としてディスク再生装置を適用した例について説明したが、ディスク記録及び再生装置に適用することができることは勿論、パーソナルコンピュータ、撮像装置、携帯端末機、電磁調理器、その他の電子機器にも適用できるものである。また、前記実施の形態においては、照明装置をタッチセンサ装置に適用する例について説明したが、本発明の照明装置は、計器盤等にも適用できるものである。
【図面の簡単な説明】
【００８７】
【図１】本発明の照明装置の第１の実施の形態を正面側から見た斜視図である。
【図２】本発明の照明装置の第１の実施の形態の平面図である。
【図３】本発明の照明装置の第１の実施の形態の右側面図である。
【図４】図２に示すＸ−Ｘ部分の断面図である。
【図５】本発明の照明装置の第１の実施の形態に係る導光板内を進行する光を説明する説明図である。
【図６】本発明の実施の形態による電子機器の一例を示すもので、タッチセンサ装置を備えたディスク再生装置を斜め上面側から見た斜視図である。
【図７】本発明の実施の形態による電子機器の一例を示すもので、タッチセンサ装置を備えたディスク再生装置を斜め底面側から見た斜視図である。
【図８】本発明の実施の形態による電子機器の一例を示すもので、タッチセンサ装置を備えたディスク再生装置の分解斜視図である。
【図９】図６に示すＹ−Ｙ部分の断面図であり、タッチセンサ装置が配置された部位を拡大して示す断面図である。
【図１０】本発明の実施の形態による電子機器の一例を示すディスク再生装置のタッチセンサ装置を説明する説明図である。
【図１１】従来の照明装置の第１の例を説明する説明図である。
【図１２】従来の照明装置の第２の例を説明する説明図である。
【符号の説明】
【００８８】
１…照明装置、  ２…光源、  ３…導光板、  １１ａ…入射面、  １２…出射面、  １３…対向面、  １４ａ…第１の反射面、  １４ｂ…第２の反射面、  １６…拡散部、  ３１…ディスク再生装置（電子機器）、  ３２…外装ケース、  ３３…タッチセンサ装置、  ３５…ケース本体、  ３６…上面板、  ４７…仕切り板、  ４８…基板用凹部、  ４９ａ，４９ｂ…貫通穴、  ５１…第１の開口部、  ５２…第２の開口部、  ５３…遮光用リブ、  ６１…操作パネル、  ６２…センサ部、  ６３…回路基板、  ６５…表示部（被照明部）
【図１】
2008305761.tif 000003
【図２】
2008305761.tif 000004
【図３】
2008305761.tif 000005
【図４】
2008305761.tif 000006
【図５】
2008305761.tif 000007
【図６】
2008305761.tif 000008
【図７】
2008305761.tif 000009
【図８】
2008305761.tif 000010
【図９】
2008305761.tif 000011
【図１０】
2008305761.tif 000012
【図１１】
2008305761.tif 000013
【図１２】
2008305761.tif 000014